(57)【要約】      （修正有）【課題】２つの部材を鋭角の所定角度に接続するほぞ継ぎ構造及びそれを利用したＺ型の椅子を提供する。【解決手段】天板２の後側縁２’と傾斜板４の上側縁を、小の字を構成するほぞ溝７と、小の字を構成するほぞ突出部による独自形状のほぞ継ぎ構造５によって鋭角の所定角度に接続し、天板と平行の底板３の前側縁３’と傾斜板の下側縁を、小の字を構成するほぞ溝９と、小の字を構成するほぞ突出部による独自形状のほぞ継ぎ構造６によって鋭角の所定角度に接続し、Ｚ型の椅子を構成した。Ｚ型の椅子は、底板を水平面に設置し、天板に大人が座っても問題なく使用することができ、実用的かつデザインの良い椅子となる。【選択図】図２
0003233532.tif 000002
【実用新案登録請求の範囲】
【請求項１】
水平な平面板の後側縁に、傾斜板の上側縁を鋭角の所定角度にて接続するほぞ続ぎ構造であって、
上記平面板の上記後側縁のほぞ続ぎ構造のほぞ溝は、水平の上面に対して上記鋭角の所定角度に傾斜した平面板第１傾斜面と、
上記平面板第１傾斜面から直交する前方向に平面板第１の溝が設けられ、該平面板第１の溝の両側に隣接して平面視で「小」の字を描くように、左右斜め前方向に上記平面板第１の溝から徐々に離れるように平面板第２の溝、平面板第３の溝が構成され、
上記平面板第１〜第３の溝の各奥部面は、上記平面板第１傾斜面と同じ傾斜角度にて上記平面板第１傾斜面と平行の平面板第２傾斜面が各々構成され、
上記平面板の下面側の上記平面板第１〜第３の溝間の下面は、左右方向に面が一致する下側溝間水平面が各々構成され、
上記平面板の上記ほぞ続ぎ構造の上記下面側の左右端面は、上記平面板第１傾斜面と同じ傾斜方向であって上記上面に対して、上記鋭角の所定角度の１／２の角度に傾斜した平面板両側傾斜面が各々形成され、
上記傾斜板の上記上側縁のほぞ続ぎ構造のほぞ突出部は、上記平面板第１〜第３の溝に嵌合し得る傾斜板第１の突出部、傾斜板第２の突出部、傾斜板第３の突出部が形成され、
上記傾斜板第１〜第３の突出部の上記傾斜板の後面側の各面は、左右方向に面が一致する後面側突出部平坦面が構成され、
上記傾斜板第１〜第３の突出部の上記傾斜板の各上面側は、上記各後面側突出部平坦面に対して上記鋭角の所定角度に傾斜し、かつ前面側から見た場合「小」の字を構成する傾斜板第３傾斜面が各々構成され、
上記傾斜板第１〜第３の突出部の上記傾斜板の上記前面側の各面は、左右方向に面が一致する前面側突出部平坦面が形成され、
上記傾斜板第１〜第３の突出部間の根本の各突出部間の面は、上記傾斜板第３傾斜面と同じ傾斜角度にて上記傾斜板第３傾斜面と平行の傾斜板第４傾斜面が構成されており、
上記傾斜板の上記ほぞ続ぎ構造の上記前面側の左右端面は、上記傾斜板第３傾斜面と同じ傾斜方向であって上記後面に対して、上記鋭角の所定角度の１／２の角度に傾斜した上側傾斜板両側傾斜面が形成され、
上記傾斜板の上記前面が上記平面板の上記下面側となる方向にて、上記傾斜板の上記各後面側突出部平坦面が、上記各平面板第１傾斜面と平行になるように角度を合わせた状態で、上記傾斜板第１〜第３の突出部を上記平面板第１〜第３の溝内に各々嵌合することにより、上記平面板第１傾斜面と上記傾斜板の上記後面側突出部平坦面が面一の状態となり、上記傾斜板第４傾斜面が上記平面板の上記下側溝間水平面に接合され、上記各傾斜板第３傾斜面が上記平面板第１〜第３の溝から臨出して上記平面板の上記上面と面一の状態となって「小」の字を構成し、上記傾斜板の上記前面側突出部平坦面が上記平面板第２傾斜面に接合された状態で嵌合し、
上記嵌合状態で、上記平面板両側傾斜面と上記上側傾斜板両側傾斜面とが接合されて、上記平面板と上記傾斜板とが上記鋭角の所定角度に接続されるほぞ続ぎ構造。
【請求項２】
水平な平面板の前側縁に、傾斜板の下側縁を鋭角の所定角度にて接続するほぞ続ぎ構造であって、
上記傾斜板の上記下側縁のほぞ続ぎ構造のほぞ溝は、上記傾斜板の前面に対して上記鋭角の所定角度に傾斜した傾斜板第１傾斜面と、
上記傾斜板第１傾斜面から直交する上方向に傾斜板第１の溝が設けられ、該傾斜板第１の溝の両側に隣接して前面視で「小」の字を描くように、左右斜め上方向に上記傾斜板第１の溝から徐々に離れるように傾斜板第２の溝、傾斜板第３の溝が構成され、
上記傾斜板第１〜第３の溝の各奥部面は、上記傾斜板第１傾斜面と同じ傾斜角度にて上記傾斜板第１傾斜面と平行の傾斜板第２傾斜面が各々構成され、
上記傾斜板の後面側の上記傾斜板第１〜第３の溝間の後面は、左右方向に面が一致する後側溝間平坦面が各々構成され、
上記傾斜板の上記ほぞ続ぎ構造の上記後面側の左右端面は、上記傾斜板第１傾斜面と同じ傾斜方向であって上記前面に対して上記鋭角の所定角度の１／２の角度に傾斜した下側傾斜板両側傾斜面が各々形成され、
上記平面板の上記前側縁のほぞ続ぎ構造のほぞ突出部は、上記傾斜板第１〜第３の溝に嵌合し得る平面板第１の突出部、平面板第２の突出部、平面板第３の突出部が形成され、
上記平面板第１〜第３の突出部の上記平面板の各下面側は左右方向に面が一致する下面側突出部水平面が構成され、
上記平面板第１〜第３の突出部の上記平面板の各前面は、上記各下面側突出部水平面に対して上記鋭角の所定角度に傾斜し、かつ上面側からみた場合「小」の字を構成する平面板第３傾斜面が各々構成され、
上記平面板第１〜第３の突出部の上記平面板の上記各上面側は、左右方向に面が一致する上面側突出部水平面が形成され、
上記平面板第１〜第３の突出部間の根本の各突出部間の面は、上記平面板第３傾斜面と同じ傾斜角度にて上記平面板第３傾斜面と平行の平面板第４傾斜面が構成されており、
上記平面板の上記ほぞ続ぎ構造の上記上面側の左右端面は、上記平面板第３傾斜面と同じ傾斜方向であって上記下面に対して、上記鋭角の所定角度の１／２の角度に傾斜した平面板両側傾斜面が形成され、
上記平面板の上記上面が上記傾斜板の上記後面側となる方向にて、上記平面板の上記各下面側突出部水平面が、上記各傾斜板第１傾斜面と平行になるように角度を合わせた状態で、上記平面板第１〜第３の突出部を上記傾斜板第１〜第３の溝内に各々嵌合することにより、上記傾斜板第１傾斜面と上記平面板の上記下面側突出部水平面が面一の状態となり、上記平面板第４傾斜面が上記傾斜板の上記後側溝間平坦面に接合され、上記各平面板第３傾斜面が上記傾斜板第１〜第３の溝から臨出して上記傾斜板の上記前面と面一の状態となって「小」の字を構成し、上記平面板の上記上面側突出部水平面が上記傾斜板第２傾斜面に接合された状態で嵌合し、
上記嵌合状態で、上記下側傾斜板両側傾斜面と上記平面板両側傾斜面とが接合されて、上記傾斜板と上記平面板とが上記鋭角の所定角度に接続されるほぞ続ぎ構造。
【請求項３】
上記平面板の上記ほぞ続ぎ構造の上記ほぞ溝は、左右方向に上記平面板第１〜第３の溝からなる「小」の字を構成する上記ほぞ溝が複数形成されることにより溝群が構成され、
上記傾斜板の上記ほぞ続ぎ構造の上記ほぞ突出部は、上記平面板第１〜第３の溝に嵌合し得る「小」の字を構成する上記傾斜板第１〜第３の突出部からなる上記ほぞ突出部が、上記溝群と同数形成されることにより突出部群が構成されたものである請求項１記載のほぞ続ぎ構造。
【請求項４】
上記傾斜板の上記ほぞ続ぎ構造の上記ほぞ溝は、左右方向に上記傾斜板第１〜第３の溝からなる「小」の字を構成する上記ほぞ溝が複数形成されることにより溝群が構成され、
上記平面板の上記ほぞ続ぎ構造の上記ほぞ突出部は、上記傾斜板第１〜第３の溝に嵌合し得る「小」の字を構成する上記平面板第１〜第３の突出部からなる上記ほぞ突出部が、上記溝群と同数形成されることにより突出部群が構成されたものである請求項２記載のほぞ続ぎ構造。
【請求項５】
上記鋭角の所定角度は４５度である請求項１〜４の何れかに記載のほぞ続ぎ構造。
【請求項６】
請求項１のほぞ続ぎ構造において、上側の水平な上記平面板を天板として、上記天板の上記後側縁の上記平面板第１〜第３の溝と、上記傾斜板の上記上側縁の上記傾斜板第１〜第３の突出部とを嵌合接続して上記天板に対して上記鋭角の所定角度にて上記傾斜板を接続し、
請求項２のほぞ続ぎ構造において、請求項１の上記傾斜板と同一の上記傾斜板の上記下側縁の上記傾斜板第１〜第３の溝と、下側の他の水平な上記平面板を底板として、上記底板の上記前側縁の上記平面板第１〜第３の突出部とを嵌合接続して上記底板に対して上記鋭角の所定角度にて上記傾斜板を接続し、
その結果、Ｚ型の椅子を構成した請求項１及び２のほぞ続ぎ構造を利用したＺ型の椅子。
【考案の詳細な説明】
【技術分野】
【０００１】
本考案は、独自構造のほぞ継ぎ構造及びそれ（上記ほぞ継ぎ構造）を利用したＺ型の椅子に関するものである。
【背景技術】
【０００２】
従来、椅子として販売されているものは、各種の構造が存在するが、その中でもほぞ継ぎ構造を採用した椅子が考案されている（例えば特許文献１）。
【０００３】
この特許文献１の椅子は、座面と肘掛、肘掛と背面板との結合をほぞ継ぎ構造としているが、ほぞ継ぎの構造は、単純な突起部と孔部とからなるものであり、独自の構造のものではない。
【０００４】
また、一般に蟻ほぞと蟻溝からなる蟻ほぞ構造を使用している長椅子等も存在するが（例えば特許文献２）、そのほぞつぎ構造自体は従来から存在するものであり、特に目新しいものではない。
【先行技術文献】
【特許文献】
【０００５】
【特許文献１】実用新案登録第３１０６９１０号公報
【特許文献２】特開２０１３−２５２２５４号公報
【考案の概要】
【考案が解決しようとする課題】
【０００６】
ところで、上記従来の椅子は、椅子自体は従来の一般的な椅子の構造からなるものであるし、ほぞ継ぎ構造も従来から存在する公知のものであり、特に新規な構造ではない。また、２つの部材を直角に接続するためのほぞ継ぎ構造であり、２つの部材を鋭角の角度に接続するほぞ継ぎ構造は開示されていない。
【０００７】
本発明は、２つの部材を鋭角の所定角度に接続する独自のほぞ継ぎ構造を提供することを目的とする。
【０００８】
また本発明は、全体がＺ型の椅子（スツール）であって、天板と中間の傾斜板の上側縁の接続構造及び中間の傾斜板の下側縁と底板の接続構造が、独自のほぞ継ぎ構造を利用するものであって、両者を鋭角の所定角度で接続し、通常の大人が座っても、十分な強度を有するＺ型の椅子を提供するものである。
【課題を解決するための手段】
【０００９】
上記の目的を達成するため本考案は、
第１に、水平な平面板（２）の後側縁（２’）に、傾斜板（４）の上側縁（４’）を鋭角の所定角度にて接続するほぞ続ぎ構造であって、上記平面板（２）の上記後側縁（２’）のほぞ続ぎ構造（５）のほぞ溝は、水平の上面（２ａ）に対して上記鋭角の所定角度に傾斜した平面板第１傾斜面(２ｄ)と、上記平面板第１傾斜面（２ｄ）から直交する前方向に平面板第１の溝（７ａ）が設けられ、該平面板第１の溝（７ａ）の両側に隣接して平面視で「小」の字を描くように、左右斜め前方向に上記平面板第１の溝（７ａ）から徐々に離れるように平面板第２の溝（７ｂ）、平面板第３の溝（７ｃ）が構成され、上記平面板第１〜第３の溝（７ａ〜７ｃ）の各奥部面は、上記平面板第１傾斜面（２ｄ）と同じ傾斜角度にて上記平面板第１傾斜面（２ｄ）と平行の平面板第２傾斜面（７ｄ，７ｄ，７ｄ）が各々構成され、上記平面板（２）の下面（２ｂ）側の上記平面板第１〜第３の溝（７ａ〜７ｃ）間の下面は、左右方向に面が一致する下側溝間水平面（２ｅ）が各々構成され、上記平面板（２）の上記ほぞ続ぎ構造（５）の上記下面（２ｂ）側の左右端面は、上記平面板第１傾斜面（２ｄ）と同じ傾斜方向であって上記上面（２ａ）に対して、上記鋭角の所定角度の１／２の角度に傾斜した平面板両側傾斜面（２ｃ，２ｃ）が各々形成され、上記傾斜板（４）の上記上側縁（４’）のほぞ続ぎ構造（５）のほぞ突出部は、上記平面板第１〜第３の溝（７ａ〜７ｃ）に嵌合し得る傾斜板第１の突出部（８ａ）、傾斜板第２の突出部（８ｂ）、傾斜板第３の突出部（８ｃ）が形成され、上記傾斜板第１〜第３の突出部（８ａ〜８ｃ）の上記傾斜板（４）の後面（４ｂ）側の各面は、左右方向に面が一致する後面側突出部平坦面（８ｄ，８ｄ，８ｄ）が構成され、上記傾斜板第１〜第３の突出部（８ａ〜８ｃ）の上記傾斜板（４）の各上面側は、上記各後面側突出部平坦面（８ｄ，８ｄ，８ｄ）に対して上記鋭角の所定角度に傾斜し、かつ前面側から見た場合「小」の字を構成する傾斜板第３傾斜面（８ｅ，８ｅ，８ｅ）が各々構成され、上記傾斜板第１〜第３の突出部（８ａ〜８ｃ）の上記傾斜板（４）の上記前面（４ａ）側の各面は、左右方向に面が一致する前面側突出部平坦面（８ｆ，８ｆ，８ｆ）が形成され、上記傾斜板第１〜第３の突出部（８ａ〜８ｃ）間の根本の各突出部間の面は、上記傾斜板第３傾斜面（８ｅ，８ｅ，８ｅ）と同じ傾斜角度にて上記傾斜板第３傾斜面（８ｅ，８ｅ，８ｅ）と平行の傾斜板第４傾斜面（８ｇ）が構成されており、上記傾斜板（４）の上記ほぞ続ぎ構造（５）の上記前面（４ａ）側の左右端面は、上記傾斜板第３傾斜面（８ｅ，８ｅ，８ｅ）と同じ傾斜方向であって上記後面（４ｂ）に対して、上記鋭角の所定角度の１／２の角度に傾斜した上側傾斜板両側傾斜面（４ｃ，４ｃ）が形成され、上記傾斜板（４）の上記前面（４ａ）が上記平面板（２）の上記下面（２ｂ）側となる方向にて、上記傾斜板（４）の上記各後面側突出部平坦面（８ｄ，８ｄ，８ｄ）が、上記各平面板第１傾斜面（２ｄ）と平行になるように角度を合わせた状態で、上記傾斜板第１〜第３の突出部（８ａ〜８ｃ）を上記平面板第１〜第３の溝（７ａ〜７ｃ）内に各々嵌合することにより、上記平面板第１傾斜面（２ｄ）���上記傾斜板（４）の上記後面側突出部平坦面（８ｄ，８ｄ，８ｄ）が面一の状態となり、上記傾斜板第４傾斜面（８ｇ）が上記平面板（２）の上記下側溝間水平面（２ｅ）に接合され、上記各傾斜板第３傾斜面（８ｅ，８ｅ，８ｅ）が上記平面板第１〜第３の溝（７ａ〜７ｃ）から臨出して上記平面板（２）の上記上面（２ａ）と面一の状態となって「小」の字を構成し、上記傾斜板（４）の上記前面側突出部平坦面（８ｆ，８ｆ，８ｆ）が上記平面板第２傾斜面（７ｄ，７ｄ，７ｄ）に接合された状態で嵌合し、上記嵌合状態で、上記平面板両側傾斜面（２ｃ，２ｃ）と上記上側傾斜板両側傾斜面（４ｃ，４ｃ）とが接合されて、上記平面板（２）と上記傾斜板（４）とが上記鋭角の所定角度に接続されるほぞ続ぎ構造により構成される。
【００１０】
上記平面板（２）は天板（２）として構成することができる。このように構成すると、釘、接着剤等を使用せずに上記ほぞ継ぎ構造（５）のみで、天板としての平面板（２）の後側縁（２’）と傾斜板（４）の上側縁（４’）を、鋭角の所定角度（例えば４５度）に強固に嵌合接続することができ、例えば、Ｚ型の椅子のほぞ継ぎ構造として利用することができる。
【００１１】
第２に、水平な平面板（３）の前側縁（３’）に、傾斜板（４）の下側縁（４”）を鋭角の所定角度にて接続するほぞ続ぎ構造（６）であって、上記傾斜板（４）の上記下側縁（４”）のほぞ続ぎ構造（６）のほぞ溝は、上記傾斜板（４）の前面（４ａ）に対して上記鋭角の所定角度に傾斜した傾斜板第１傾斜面（４ｄ）と、上記傾斜板第１傾斜面（４ｄ）から直交する上方向に傾斜板第１の溝（９ａ）が設けられ、該傾斜板第１の溝（９ａ）の両側に隣接して前面視で「小」の字を描くように、左右斜め上方向に上記傾斜板第１の溝（９ａ）から徐々に離れるように傾斜板第２の溝（９ｂ）、傾斜板第３の溝（９ｃ）が構成され、上記傾斜板第１〜第３の溝（９ａ〜９ｃ）の各奥部面は、上記傾斜板第１傾斜面（４ｄ）と同じ傾斜角度にて上記傾斜板第１傾斜面（４ｄ）と平行の傾斜板第２傾斜面（９ｄ，９ｄ，９ｄ）が各々構成され、上記傾斜板（４）の後面（４ｂ）側の上記傾斜板第１〜第３の溝（９ａ〜９ｃ）間の後面は、左右方向に面が一致する後側溝間平坦面（４ｅ）が各々構成され、上記傾斜板（４）の上記ほぞ続ぎ構造（６）の上記後面（４ｂ）側の左右端面は、上記傾斜板第１傾斜面（４ｄ）と同じ傾斜方向であって上記前面（４ａ）に対して上記鋭角の所定角度の１／２の角度に傾斜した下側傾斜板両側傾斜面（４ｃ’，４ｃ’）が各々形成され、上記平面板（３）の上記前側縁（３’）のほぞ続ぎ構造（６）のほぞ突出部は、上記傾斜板第１〜第３の溝（９ａ〜９ｃ）に嵌合し得る平面板第１の突出部（１０ａ）、平面板第２の突出部（１０ｂ）、平面板第３の突出部（１０ｃ）が形成され、上記平面板第１〜第３の突出部（１０ａ〜１０ｃ）の上記平面板（３）の各下面（３ａ）側は左右方向に面が一致する下面側突出部水平面（１０ｄ，１０ｄ，１０ｄ）が構成され、上記平面板第１〜第３の突出部（１０ａ〜１０ｃ）の上記平面板（３）の各前面は、上記各下面側突出部水平面（１０ｄ，１０ｄ，１０ｄ）に対して上記鋭角の所定角度に傾斜し、かつ上面（３ｂ）側からみた場合「小」の字を構成する平面板第３傾斜面（１０ｅ，１０ｅ，１０ｅ）が各々構成され、上記平面板第１〜第３の突出部（１０ａ〜１０ｃ）の上記平面板（３）の上記各上面（３ｂ）側は、左右方向に面が一致する上面側突出部水平面（１０ｆ，１０ｆ，１０ｆ）が形成され、上記平面板第１〜第３の突出部（１０ａ〜１０ｃ）間の根本の各突出部間の面は、上記平面板第３傾斜面（１０ｅ，１０ｅ，１０ｅ）と同じ傾斜角度にて上記平面板第３傾斜面（１０ｅ，１０ｅ，１０ｅ）と平行の平面板第４傾斜面（１０ｇ）が構成されており、上記平面板（３）の上記ほぞ続ぎ構造（６）の上記上面（３ｂ）側の左右端面は、上記平面板第３傾斜面（１０ｅ，１０ｅ，１０ｅ）と同じ傾斜方向であって上記下面（３ａ）に対して、上記鋭角の所定角度の１／２の角度に傾斜した平面板両側傾斜面（３ｃ，３ｃ）が形成され、上記平面板（３）の上記上面（３ｂ）が上記傾斜板（４）の上記後面（４ｂ）側となる方向にて、上記平面板（３）の上記各下面側突出部水平面（１０ｄ，１０ｄ，１０ｄ）が、上記各傾斜板第１傾斜面（４ｄ）と平行になるように角度を合わせた状態で、上記平面板第１〜第３の突出部（１０ａ〜１０ｃ）を上記傾斜板第１〜第３の溝（９ａ〜９ｃ）内に各々嵌合することにより、上記傾斜板第１傾斜面（４ｄ）と上記平面板（３）の上記下面側突出部水平面（１０ｄ，１０ｄ，１０ｄ）が面一の状態となり、上記平面板第４傾斜面（１０ｇ）が上記傾斜板（４）の上記後側溝間平坦面（４ｅ）に接合され、上記各平面板第３傾斜面（１０ｅ，１０ｅ，１０ｅ）が上記傾斜板第１〜第３の溝（９ａ〜９ｃ）から臨出して上記傾斜板（４）の上記前面（４ａ）と面一の状態となって「小」の字を構成し、上記平面板（３）の上記上面側突出部水平面（１０ｆ，１０ｆ，１０ｆ）が上記傾斜板第２傾斜面（９ｄ，９ｄ，９ｄ）に接合された状態で嵌合し、上記嵌合状態で、上記下側傾斜板両側傾斜面（４ｃ’，４ｃ’）と上記平面板両側傾斜面（３ｃ，３ｃ）とが接合されて、上記傾斜板（４）と上記平面板（３）とが上記鋭角の所定角度に接続されるほぞ続ぎ構造により構成される。
【００１２】
上記平面板（３）は底板（３）として構成することができる。このように構成すると、釘、接着剤等を使用せずに上記ほぞ継ぎ構造（６）のみで、底板としての平面板（３）の前側縁（２’）と傾斜板（４）の下側縁（４”）を、鋭角の所定角度（例えば４５度）に強固に嵌合接続することができ、例えば、Ｚ型の椅子のほぞ継ぎ構造として利用することができる。
【００１３】
第３に、上記平面板（２）の上記ほぞ続ぎ構造（５）の上記ほぞ溝（７）は、左右方向に上記平面板第１〜第３の溝（７ａ〜７ｃ）からなる「小」の字を構成する上記ほぞ溝（７）が複数形成されることにより溝群が構成され、上記傾斜板（４）の上記ほぞ続ぎ構造（５）の上記ほぞ突出部（８）は、上記平面板第１〜第３の溝（７ａ〜７ｃ）に嵌合し得る「小」の字を構成する上記傾斜板第１〜第３の突出部（８ａ〜８ｃ）からなる上記ほぞ突出部（８）が、上記溝群と同数形成されることにより突出部群が構成されたものである上記第１記載のほぞ続ぎ構造により構成される。
【００１４】
このように構成すると、「小」の字を構成する溝群と、「小」の字を構成する突出部群とが、各々嵌合接続されるため、より強固なほぞ継ぎ構造（５）を実現することができる。
【００１５】
第４に、上記傾斜板（４）の上記ほぞ続ぎ構造（６）の上記ほぞ溝（９）は、左右方向に上記傾斜板第１〜第３の溝（９ａ〜９ｃ）からなる「小」の字を構成する上記ほぞ溝（９）が複数形成されることにより溝群が構成され、上記平面板（３）の上記ほぞ続ぎ構造（６）の上記ほぞ突出部（１０）は、上記傾斜板第１〜第３の溝（９ａ〜９ｃ）に嵌合し得る「小」の字を構成する上記平面板第１〜第３の突出部（１０ａ〜１０ｃ）からなる上記ほぞ突出部（１０）が、上記溝群と同数形成されることにより突出部群が構成されたものである上記第２記載のほぞ続ぎ構造により構成される。
【００１６】
このように構成すると、「小」の字を構成する溝群と、「小」の字を構成する突出部群とが、各々嵌合接続されるため、より強固なほぞ継ぎ構造（６）を実現することができる。
【００１７】
第５に、上記鋭角の所定角度は４５度である上記第１〜４の何れかに記載のほぞ続ぎ構造により構成される。
【００１８】
このように構成すると、天板としての水平の平面板（２）の後側縁（２’）と傾斜板（４）の上側縁（４’）を４５度の角度で接続し、底板としての水平の平面板（３）の前側縁（３’）と上記傾斜板（４）の下側縁（４”）を４５度の角度で接続し、例えば実用的なＺ型の椅子（スツール）を構成することができる。この場合、本発明に係るほぞ継ぎ構造（５，６）によると、通常の体重の大人の人間が座っても壊れることのない実用的な椅子を実現することができる。
【００１９】
第６に、第１のほぞ続ぎ構造（５）において、上側の水平な上記平面板（２）を天板（２）として、上記天板（２）の上記後側縁（２’）の上記平面板第１〜第３の溝（７ａ〜７ｃ）と、上記傾斜板（４）の上記上側縁（４’）の上記傾斜板第１〜第３の突出部（８ａ〜８ｃ）とを嵌合接続して上記天板（２）に対して上記鋭角の所定角度にて上記傾斜板（４）を接続し、第２のほぞ続ぎ構造（６）において、第１の上記傾斜板（４）と同一の上記傾斜板（４）の上記下側縁（４”）の上記傾斜板第１〜第３の溝（９ａ〜９ｃ）と、下側の他の水平な上記平面板（３）を底板（３）として、上記底板（３）の上記前側縁（３’）の上記平面板第１〜第３の突出部（１０ａ〜１０ｃ）とを嵌合接続して上記底板（３）に対して上記鋭角の所定角度にて上記傾斜板（４）を接続し、その結果、Ｚ型の椅子（１）を構成した上記第１及び２のほぞ続ぎ構造を利用したＺ型の椅子により構成される。
【００２０】
このように構成すると、天板（２）としての水平の平面板（２）の後側縁（２’）と傾斜板（４）の上側縁（４’）を鋭角の所定角度で接続し、底板（３）としての水平の平面板（３）の前側縁（３’）と上記傾斜板（４）の下側縁（４”）を鋭角の所定角度で接続し、実用的なＺ型の椅子（スツール）を構成することができる。この場合、本発明に係るほぞ継ぎ構造（５，６）によると、通常の体重の大人の人間が座っても壊れることのない実用的な椅子を実現することができる。
【考案の効果】
【００２１】
本考案によれば、釘、接着剤等を使用せずに上記ほぞ継ぎ構造（５）のみで、天板としての平面板（２）の後側縁（２’）と傾斜板（４）の上側縁（４’）を、鋭角の所定角度（例えば４５度）に強固に嵌合接続することができ、例えば、Ｚ型の椅子のほぞ継ぎ構造として利用することができる。
【００２２】
また、釘、接着剤等を使用せずに上記ほぞ継ぎ構造（６）のみで、底板としての平面板（３）の前側縁（２’）と傾斜板（４）の下側縁（４”）を、鋭角の所定角度（例えば４５度）に強固に嵌合接続することができ、例えば、Ｚ型の椅子のほぞ継ぎ構造として利用することができる。
【００２３】
また、「小」の字を構成する溝群と、「小」の字を構成する突出部群とが、各々嵌合接続されるため、より強固なほぞ継ぎ構造（５，６）を実現することができる。
【００２４】
また、天板としての水平の平面板（２）の後側縁（２’）と傾斜板（４）の上側縁（４’）を鋭角の所定角度（例えば４５度）で接続し、底板としての水平の平面板（３）の前側縁（３’）と上記傾斜板（４）の下側縁（４”）を鋭角の所定角度（例えば４５度）で接続し、実用的なＺ型の椅子（スツール）を構成することができる。この場合、本発明に係るほぞ継ぎ構造（５，６）によると、通常の体重の大人の人間が座っても壊れることのない実用的な椅子を実現することができる。
【図面の簡単な説明】
【００２５】
【図１】本発明に係るほぞ継ぎ構造を利用したＺ型の椅子の正面図である。
【図２】同上Ｚ型の椅子の斜視図である。
【図３】同上Ｚ型の椅子の平面図である。
【図４】同上Ｚ型の椅子の底面図である。
【図５】同上Ｚ型の椅子の後面側からの図である。
【図６】同上Ｚ型の椅子の前面側からの図である。
【図７】同上ほぞ継ぎ構造の天板の図面であり、（ａ）は天板の正面図、（ｂ）は天板の後面側からの図、（ｃ）は天板の側面図、（ｄ）は天板の底面図である。
【図８】同上ほぞ継ぎ構造の傾斜板の図面であり、（ａ）は傾斜板の上側縁の上面側からの図、（ｂ）は傾斜板の前面から見た図、（ｃ）は傾斜板の下側縁の下面側からの図、（ｄ）は傾斜板の側面図である（尚、傾斜板は傾斜状態に傾けて記載している）。
【図９】同上ほぞ継ぎ構造の傾斜板の後面から見た裏面図である。
【図１０】同上ほぞ継ぎ構造の底板の図面であり、（ａ）は底板の前面側からの図、（ｂ）は底板の平面図、（ｃ）は底板の側面図、（ｄ）は底板の底面図である。
【図１１】（ａ）は図２の矢印Ａ方向から見た概略矢視図、（ｂ）は図２の矢印Ｂ方向から見た概略矢視図である。
【図１２】同上ほぞ継ぎ構造の天板の後側縁と傾斜板の上側縁の側面図である。
【図１３】同上ほぞ継ぎ構造の底板の前側縁と傾斜板の下側縁の側面図である。
【考案を実施するための形態】
【００２６】
以下、添付図面に基づいて本考案に係るほぞ継ぎ構造及びそのほぞ継ぎ構造を使用したＺ型の椅子１（スツール）について詳細に説明する。
【００２７】
上記椅子１は、図１、図２に示すように、水平な四角形状（略正方形）の天板（平面板）２、水平な四角形状（略正方形）の底板（平面板）３、及び上記天板２と底板３に対してほぞ継ぎ構造５（上部）、ほぞ継ぎ構造６（下部）によりほぞ続ぎ接続された縦長長方形状（四角形状）の傾斜板４とから構成されている。尚、天板２と底板３は同じ大きさに構成され、かつ天板２と底板３は互いに平行に構成される。
【００２８】
本発明に係るスツールとしての椅子１は、全体が正面視Ｚ型であり（図１参照）、天板２の上面２ａと底板３の下面３ａは相互に平行となるように構成され、これにて安定して水平面に設置することができ、天板２上に人が座ることができる強度を有している。
【００２９】
尚、図１において、図面を正面に見て、左側を「前方」、右側を「後方」、上下を「上下方向」、前方から後方を向いた場合の左右を「左右方向」又は「横向き」と定義する（他の図においても同じ）。従って、図７において、平面板第１傾斜面２ｄ側を後面とし、図８において傾斜板第３傾斜面８ｅ側を上面とし、傾斜板第１傾斜面４ｄ側を下面とし、図１０において平面板第３傾斜面１０ｅ側を前面とする。
【００３０】
図１に示すように、天板２の上面２ａは水平面（直線的な面）であって、その後側縁２’（左右方向に直線的な辺）、即ち、上記ほぞ継ぎ構造５の部分は、上記上面２ａと上記傾斜板４の後面４ｂの直線的な面と、角度θ＝４５度（鋭角の所定角度）にて接続されている（図１２参照）。
【００３１】
また、底板３の下面３ａは水平面（直線的な面）であって、その前側縁３’（左右方向に直線的な辺）、即ち、上記ほぞ継ぎ構造６の部分は、上記下面３ａと傾斜板４の前面４ａの直線的な面と、角度θ＝４５度（鋭角の所定角度）にて接続されている（図１３参照）。
【００３２】
また、上記天板２の上記ほぞ継ぎ構造５の部分の両側（左右端面）は、上記角度θ＝４５度の１／２の角度θ’＝２２．５度の平面板両側傾斜面２ｃ，２ｃが設けられており、下面２ｂは、上記ほぞ継ぎ構造５に行くにつれて、天板２の肉厚が大きくなるように徐々に下方向に傾斜し、最後は若干下向きの横断面湾曲形状となり、上記平面板両側傾斜面２ｃ，２ｃに連続している。
【００３３】
また、上記傾斜板４の上記ほぞ継ぎ構造５の部分は、上記角度θ＝４５度の１／２の角度θ’＝２２．５度の上側傾斜板両側傾斜面４ｃ，４ｃが設けられており、上記前面４ａは、上記ほぞ継ぎ構造５に行くにつれて、若干前向きの横断面湾曲形状となり、上記傾斜板４の上記上側傾斜板両側傾斜面４ｃ，４ｃに連続している。
【００３４】
そして、上記ほぞ継ぎ構造５では、図１において、接合された上記平面板両側傾斜面２ｃ，２ｃ、上記上側傾斜板両側傾斜面４ｃ，４ｃを中心として、天板２側と傾斜板４側は対称構造となっている。この対称構造は、ほぞ継ぎ構造５の左側と右側において同一構造となっている。
【００３５】
また、上記底板３の上記ほぞ継ぎ構造６の部分は、上記角度θ＝４５度の１／２の角度θ’＝２２．５度の平面板両側傾斜面３ｃ，３ｃが設けられており、上面３ｂは、上記ほぞ継ぎ構造６に行くにつれて、底板２の肉厚が大きくなるように徐々に上方向に傾斜し、最後は若干上向きの横断面湾曲形状となり、上記平面板両側傾斜面３ｃ，３ｃに連続している。
【００３６】
また、上記傾斜板４の上記ほぞ継ぎ構造６の部分の両側（左右端面）は、上記角度θ＝４５度の１／２の角度θ’＝２２．５度の下側傾斜板両側傾斜面４ｃ’，４ｃ’が設けられており、上記後面４ｂは、上記ほぞ継ぎ構造６に行くにつれて、若干後向きの横断面湾曲形状となり、上記傾斜板４の上記下側傾斜板両側傾斜面４ｃ’，４ｃ’に連続している。
【００３７】
そして、上記ほぞ継ぎ構造６では、図１において、接合された上記平面板両側傾斜面３ｃ，３ｃ、上記下側傾斜板両側傾斜面４ｃ’，４ｃ’を中心として、傾斜板４側と底板３側は対称構造となっている。この対称構造は、ほぞ継ぎ構造５の左側と右側において同一構造となっている。即ち、傾斜板４は、前面４ａ側に上記上側傾斜板両側傾斜面４ｃ，４ｃが設けられており、後面４ｂ側に上記下側傾斜板両側傾斜面４ｃ’，４ｃ’が設けられている。
【００３８】
上記椅子１を構成した状態において（図１参照）、上記天板２の前側縁２”の前後方向位置は、下側の上記ほぞ継ぎ構造６の前側縁３’の位置よりも若干後方側に位置しており、上記底板３の後側縁３”の前後方向位置は、上側の上記ほぞ継ぎ構造５の後側縁２’の位置よりも若干前方側に位置している。
【００３９】
次に、上部の上記ほぞ継ぎ構成５について説明する（図７、図８、図９参照）
まず、水平な上記天板２の後側縁２’に、傾斜板４の上側縁４’（左右方向に直線状の辺）を鋭角の所定角度（θ＝４５度）にて接続するほぞ継ぎ構造５について説明する。
【００４０】
図７、図１２を参照して、上記天板２の上記後側縁２’のほぞ継ぎ構造５は、水平の上面２ａに対して上記鋭角の所定角度（θ＝４５度）に傾斜した平面板第１傾斜面２ｄと（図７（ｃ）（ｄ）参照）、上記平面板第１傾斜面２ｄから直交する前方向に平面板第１の溝７ａが設けられ、該平面板第１の溝７ａの両側に隣接して平面視（図７（ａ）参照）で「小」の字を描くように、左右斜め前方向に上記平面板第１の溝７ａから徐々に離れるように平面板第２の溝７ｂ、平面板第３の溝７ｃが、上記平面板第１の溝７ａを中心に左右対称に構成され、上記平面板第１〜第３の溝７ａ〜７ｃの各奥部面は（図７（ｃ）（ｄ）参照）、上記平面板第１傾斜面２ｄと同じ傾斜方向及び同じ傾斜角度（上面２ａに対して４５度）にて、上記平面板第１傾斜面２ｄと平行の平面板第２傾斜面７ｄ，７ｄ，７ｄが各々構成され（図７（ｃ）（ｄ）、図１２参照）、上記天板２の下面２ｂ側の上記溝間の下面側は、左右方向に面が一致する（面一の）下側溝間水平面２ｅが各々構成され（図７（ｃ）（ｄ）、図１２参照）、上記溝間の上面２ａ側は、左右方向に面が一致する（面一の）と共に、上記上面２ａとも面が一致する上側溝間水平面２ｆが各々構成されている（図７（ａ）（ｃ）、図１２参照）。
【００４１】
そして、上記天板２の上記ほぞ継ぎ構造５の下面２ｂ側の左右端面は、上記平面板第１傾斜面２ｄと同じ傾斜方向であって上記上面２ａに対して、上記鋭角の所定角度（θ＝４５度）の１／２の角度（θ’＝２２．５度）に傾斜した上記平面板両側傾斜面２ｃ，２ｃが各々形成されている（図７（ｃ）（ｄ）、図１２参照）。
【００４２】
また、上記平面板第１〜第３の溝７ａ〜７ｃ（３つの溝）を１つの単位として小の字溝７が構成され（図７（ａ）（ｄ）参照）、上記ほぞ継ぎ構造５としては、上記小の字溝（「小」の字を構成するほぞ溝）７が、上記天板２の後側縁２’に実施形態では３つ並設されることにより、溝群が形成されている（溝の数は全部で９個）。尚、上記小の字溝７の数は、３つに限定されることはなく、３以上の複数であっても良いし、１つ又は２つであっても良い。
【００４３】
図８、図９、図１２を参照して、上記傾斜板４の上記上側縁４’のほぞ継ぎ構造５は、上記平面板第１〜第３の溝７ａ〜７ｃに嵌合し得る傾斜板第１の突出部８ａ、傾斜板第２の突出部８ｂ、傾斜板第３の突出部８ｃが形成されている（図８（ｂ）、図９参照）。従って、上記傾斜板第１〜第３の突出部８ａ〜８ｃの各左右方向幅は、上記平面板第１〜第３の溝７ａ〜７ｃに各々挿入可能な幅を有している。
【００４４】
上記傾斜板第１の突出部８ａは、上記上側縁４’に対して下方向に直線的に設けられており、上記傾斜板第１の突出部８ａの後述の上部の傾斜板第３傾斜面８ｅは、同様に、上記上側縁４’に対して下方向に直線的に設けられている（図８（ｂ）参照）。
【００４５】
上記傾斜板第２、第３の突出部８ｂ，８ｃの各傾斜板第３傾斜面８ｅ，８ｅ（図８（ｂ）参照）は、「小」の字を描くように、上記傾斜板第１の突出部８ａに対して、下方に行くにつれて、徐々に離間するように設けられており、上記傾斜板第２、第３の突出部８ｂ，８ｃの板状の本体も、上記傾斜板第３傾斜面８ｅ，８ｅから下方に向けて、「小」の字を描くように、後述の傾斜板第４傾斜面８ｇまで形成されている。即ち、傾斜板第１〜第３の突出部８ａ〜８ｃの上記傾斜板４の各上面側は、後述の各後面側突出部平坦面８ｄ，８ｄ，８ｄに対して上記鋭角の所定角度（θ＝４５度）に傾斜し、かつ前面側から見た場合「小」の字を構成する傾斜板第３傾斜面８ｅ，８ｅ，８ｅが各々構成されている。
【００４６】
これにより上記傾斜板第１〜第３の突出部８ａ〜８ｃは、前面４ａ側から見たとき「小」の字を構成しており、上記傾斜板第１〜第３の突出部８ａ〜８ｃは、各々上記平面板第１〜第３の溝７ａ〜７ｃに嵌合し得るように構成されている。
【００４７】
より具体的に説明すると、上記傾斜板第１〜第３の突出部８ａ〜８ｃの傾斜板４の後面４ｂ側の各面は、左右方向に面が一致する（面一の）後面側突出部平坦面８ｄ，８ｄ，８ｄが構成され（図９、図１２参照）、これらの後面側突出部平坦面８ｄ，８ｄ，８ｄは上記傾斜板４の上記後面４ｂと同一面（面一の面）を構成している。また、上記後面側突出部平坦面８ｄ，８ｄ，８ｄは、上方から下方に向けて各々平行な直線状に形成されている。
【００４８】
上記傾斜板第１〜第３の突出部８ａ，８ｂ，８ｃの上記傾斜板４の各上面側は、上記各後面側突出部平坦面８ｄ，８ｄ，８ｄに対して上記鋭角の所定角度（θ＝４５度）に傾斜し（図１２参照）、かつ前面側から見た場合「小」の字を構成する上記傾斜板第３傾斜面８ｅ，８ｅ，８ｅが各々構成され、上記傾斜板第１〜第３の突出部８ａ〜８ｃの上記傾斜板４の上記前面４ａ側の各面は、左右方向に同一の面（面一の面、面が一致する）である前面側突出部平坦面８ｆ，８ｆ，８ｆが形成されている。即ち、上記前面側突出部平坦面８ｆ，８ｆ，８ｆは、上方から下方に向けて各々平行な直線状に形成されている。
【００４９】
さらに、上記傾斜板第１〜第３の突出部８ａ，８ｂ，８ｃ間の基端部（根本）の左右方向の各突出部間の面は上記傾斜板第３傾斜面８ｅ，８ｅ，８ｅと同じ方向に傾斜しており、上記傾斜板第３傾斜面８ｅ，８ｅ，８ｅと同じ傾斜角度（後面側突出部平坦面８ｄ（後面４ｂ）に対して４５度）にて上記傾斜板第３傾斜面８ｅと平行の上記傾斜板第４傾斜面８ｇが構成されている（図８（ｂ）（ｃ）、図１２参照）。
【００５０】
また、上記傾斜板４の上記ほぞ継ぎ構造５の前面４ａ側の左右端面は、上記傾斜板第３傾斜面８ｅ，８ｅ，８ｅと同じ傾斜方向であって上記鋭角の所定角度（後面側突出部平坦面８ｄ（後面４ｂ）に対して４５度）の１／２の傾斜角度（後面側突出部平坦面８ｄ（後面４ｂ）に対してθ’＝２２．５度）（図１２参照）の上記上側傾斜板両側傾斜面４ｃ，４ｃが形成されている（図８（ｂ）（ｄ）参照）。
【００５１】
また、上記傾斜板第１〜第３の突出部８ａ〜８ｃ（３つの突出部）を１つの単位として小の字突出部（「小」の字を構成するほぞ突出部）８が構成され（図８（ｂ）（ｄ）、図９参照）、上記ほぞ継ぎ構造５としては、上記小の字突出部８が、上記傾斜板４の上側縁４’に３つ並設され、突出部群を構成している（突出部の数は前部で９個）。尚、上記小の字突出部８の数は、３つに限定されることはなく、３以上の複数であっても良いし、１つ又は２つであっても良い。但し、小の字突出部８の数は上記小の字溝７の数と同一の数（同数）になる。
【００５２】
次に、上記天板２の上記ほぞ継ぎ構造５と、上記傾斜板４の上記ほぞ継ぎ構造５の接続方法について説明する。
【００５３】
上記傾斜板４の上記前面４ａ側が水平の上記天板２の上記下面２ｂ側となる方向にて（図１２参照）、上記傾斜板４の上記各後面側突出部平坦面８ｄ，８ｄ，８ｄが（図９参照）、水平の上記天板２の上記各平面板第１傾斜面２ｄと平行になるように角度を合わせた状態、即ち、水平の上記天板２と上記傾斜板４とがθ＝４５度の傾斜角度となる状態で（図１２参照）、上記傾斜板第１〜第３の突出部８ａ〜８ｃを上記平面板第１〜第３の溝７ａ〜７ｃ内に各々嵌合する。即ち、図９の各後面側突出部平坦面８ｄ，８ｄ，８ｄの上端を、図７（ｄ）の平面板第１傾斜面２ｄ間の溝（平面板第１〜第３の溝７ａ〜７ｃ）側にスライドしながら嵌合していく。これにより、図７（ｄ）のほぞ継ぎ構造５の平面板第１〜第３の溝７ａ〜７ｃ（小の字）に、図９の傾斜板第１〜第３の突出部８ａ〜８ｃの各傾斜板第３傾斜面８ｅ，８ｅ，８ｅ（小の字）を合わせて各傾斜板第１〜第３の突出部８ａ〜８ｃを平面板第１〜第３の溝７ａ〜７ｃに挿入していく。
【００５４】
上記傾斜板第１〜第３の突出部８ａ〜８ｃが、上記平面板第１〜第３の溝７ａ〜７ｂに嵌合すると、水平の天板２の上記平面板第１傾斜面２ｄと、上記傾斜板４の上記後面側突出部平坦面８ｄ，８ｄ，８ｄが面一の状態となり（図５、図１１（ａ）参照）、上記傾斜板４の上記傾斜板第４傾斜面８ｇが、上記天板２の上記下側溝間水平面２ｅに接し（接合し）、上記傾斜板４の上記各傾斜板第３傾斜面８ｅ，８ｅ，８ｅ（「小」の字を構成している）が上記平面板第１〜第３の溝７ａ〜７ｃから臨出して上記天板２の上面２ａ、及び、上記上側溝間水平面２ｆと面一の状態となって「小」の字を構成し（図２、図３、図１１（ａ）参照）、上記傾斜板４の上記前面側突出部平坦面８ｆ，８ｆ，８ｆが上記天板２の上記平面板第２傾斜面７ｄに接した（接合した）状態で嵌合する。
【００５５】
さらに、上記嵌合状態では、天板２の平面板両側傾斜面２ｃ，２ｃと上記傾斜板４の上記上側傾斜板両側傾斜面４ｃ，４ｃとが接合されて、上記天板２と上記傾斜板４とが上記θ＝４５度（鋭角の所定角度）に接続される（図１、図２、図１２参照）。
【００５６】
上記平面板第１〜第３の溝７ａ〜７ｃと上記傾斜板第１〜第３の突出部８ａ〜８ｃとの嵌合は、上記各小の字溝７，７，７（溝群）（図７参照）と上記各小の字突出部８，８，８（突出部群）（図９参照）にて各々行われる。これにより、上記天板２と傾斜板４との上記ほそ継ぎ構造５において、強固に嵌合され接続される。
【００５７】
次に、下部の上記ほぞ継ぎ構成６について説明する（図８、図９、図１０参照）
まず、水平な上記底板３の前側縁３’に、傾斜板４の下側縁４”（左右方向に直線状の辺）を鋭角の所定角度（θ＝４５度）にて接続するほぞ継ぎ構造６について説明する。
【００５８】
図８、図９、図１３を参照して、上記傾斜板４の上記下側縁４”のほぞ継ぎ構造６は、傾斜板４の前面４ａに対して上記鋭角の所定角度（θ＝４５度）に傾斜した傾斜板第１傾斜面４ｄと、上記傾斜板第１傾斜面４ｄから直交する上方向に傾斜板第１の溝９ａが設けられ、該傾斜板第１の溝９ａの両側に隣接して前面視（図８（ｂ）参照）で「小」の字を描くように（前面４ａから見たときは逆「小」の字）、左右斜め上方向に上記傾斜板第１の溝９ａから徐々に離れるように傾斜板第２の溝９ｂ、傾斜板第３の溝９ｃが、上記傾斜板第１の溝９ａを中心に左右対称に構成され、上記傾斜板第１〜第３の溝９ａ〜９ｃの各奥部面は（図９参照）、上記傾斜板第１傾斜面４ｄと同じ傾斜方向及び同じ傾斜角度（前面４ａに対して４５度）にて、上記傾斜板第１傾斜面４ｄと平行の傾斜板第２傾斜面９ｄ，９ｄ，９ｄが各々構成され（図８（ｄ）、図９、図１３参照）、上記傾斜板４の後面４ｂ側の溝間の後面は、左右方向に面が一致する（面一の）後側溝間平坦面４ｅが各々構成され（図８（ｄ）、図９、図１３参照）、上記傾斜板４の前面４ａ側の溝間の前面（面）は、左右方向に面が一致する（面一の）と共に、上記前面４ａとも面が一致する前側溝間平坦面４ｆが各々構成されている（図８（ｂ）（ｄ）、図１３参照）。
【００５９】
そして、上記傾斜板４の上記ほぞ継ぎ構造６の後面４ｂ側の左右端面は、上記傾斜板第１傾斜面４ｄと同じ傾斜方向であって、傾斜板第１傾斜面４ｄに対して上記鋭角の所定角度（θ＝４５度）の１／２の角度（θ’＝２２．５度）（図１３参照）に傾斜した上記下側傾斜板両側傾斜面４ｃ’，４ｃ’が各々形成されている（図８（ｄ）、図９、図１３参照）。
【００６０】
また、上記傾斜板第１〜第３の溝９ａ〜９ｃ（３つの溝）を１つの単位として小の字溝（「小」の字を構成するほぞ溝）９が構成され（図８（ｂ）、図９参照）、上記ほぞ継ぎ構造６としては、上記小の字溝９が、上記傾斜板４の下側縁４”に３つ並設されることにより溝群が構成されている（溝の数は前部で９個）。尚、上記小の字溝９の数は、３つに限定されることはなく、３以上の複数であっても良いし、１つ又は２つであってもよい。
【００６１】
図１０を参照して、上記底板３の上記前側縁３’のほぞ継ぎ構造６は、上記傾斜板第１〜第３の溝９ａ〜９ｃに嵌合し得る平面板第１の突出部１０ａ、平面板第２の突出部１０ｂ、平面板第３の突出部１０ｃが形成されている（図１０（ｂ）（ｄ）参照）。従って、上記平面板第１〜第３の突出部１０ａ〜１０ｃの各左右方向幅は、上記傾斜板第１〜第３の溝９ａ〜９ｃに各々挿入可能な幅を有している。
【００６２】
上記平面板第１の突出部１０ａは、上記前側縁３’に対して後方向に直線的に設けられており、平面板第１の突出部１０ａの後述の平面板第３傾斜面１０ｅは（図１０（ｂ）参照）、同様に、上記前側縁３’に対して後方向に直線的に設けられている。
【００６３】
平面板第２、第３の突出部１０ｂ，１０ｃの各平面板第３傾斜面１０ｅ，１０ｅは、「小」の字を描くように、上記平面板第１の突出部１０ａに対して、後方に行くにつれて、徐々に離間するように設けられており（図１０（ｂ）参照）、上記平面板第２、第３の突出部１０ｂ，１０ｃの板状の本体も、上記平面板第３傾斜面１０ｅ，１０ｅから後方に向けて、「小」の字を描くように、後述の平面板第４傾斜面１０ｇまで形成されている。即ち、上記平面板第１〜第３の突出部１０ａ〜１０ｃの平面板３の各前面は、後述の各下面側突出部水平面１０ｄ，１０ｄ，１０ｄに対して上記鋭角の所定角度に傾斜し、かつ上面３ｂ側からみた場合「小」の字を構成する平面板第３傾斜面１０ｅ，１０ｅ，１０ｅが各々構成されている。
【００６４】
これにより上記平面板第１〜第３の突出部１０ａ〜１０ｃは、上面３ｂ側から見たとき「小」の字を構成しており、上記平面板第１〜第３の突出部１０ａ〜１０ｃは、各々上記傾斜板第１〜第３の溝９ａ〜９ｃに嵌合し得るように構成されている。
【００６５】
より具体的に説明すると、上記平面板第１〜第３の突出部１０ａ〜１０ｃの底板３の下面３ａ側は、左右方向に面が一致する（面一の）下面側突出部水平面１０ｄ，１０ｄ，１０ｄが構成され（図１０（ｃ）（ｄ）参照）、これらの下面側突出部平坦面１０ｄ，１０ｄ，１０ｄは上記底板３の上記下面３ａと同一面（面一の面）を構成している。また、上記下面側突出部水平面１０ｄ，１０ｄ，１０ｄは、前方から後方に向けて各々平行な直線的に形成されている。
【００６６】
上記平面板第１〜第３の突出部１０ａ〜１０ｃの各前面側は、上記各下面側突出部水平面１０ｄ，１０ｄ，１０ｄに対して上記鋭角の所定角度（θ＝４５度）に傾斜し、かつ上記上面３ｂ側から見た場合「小」の字を構成する上記平面板第３傾斜面１０ｅ，１０ｅ，１０ｅが各々構成され、上記平面板第１〜第３の突出部１０ａ〜１０ｃの上記底板３の上記上面３ｂ側は、左右方向に同一の面（面一の面）である上面側突出部水平面１０ｆ，１０ｆ，１０ｆが形成されている。また、上記上面側突出部水平面１０ｆ，１０ｆ，１０ｆは、前方から後方に向けて各々平行な直線的に形成されている。
【００６７】
さらに、上記平面板第１〜第３の突出部１０ａ〜１０ｃ間の基端部（根本）の左右方向の各突出部間の面は、上記平面板第３傾斜面１０ｅ，１０ｅ，１０ｅと同じ方向に傾斜しており、上記平面板第３傾斜面１０ｅ，１０ｅ，１０ｅと同じ傾斜角度（下面３ａに対して４５度）にて上記平面板第３傾斜面１０ｅ，１０ｅ，１０ｅと平行の上記平面板第４傾斜面１０ｇが構成されている（図１０（ｂ）（ｃ）、図１３参照）。
【００６８】
また、上記底板３の上記ほぞ継ぎ構造６の上記上面３ｂ側の左右端面は、上記平面板第３傾斜面１０ｅ，１０ｅ，１０ｅと同じ傾斜方向であって上記鋭角の所定角度（θ＝４５度）の１／２の傾斜角度（θ’＝２２，５度）（図１３参照）の上記平面板両側傾斜面３ｃ，３ｃが形成されている（図１０（ｂ）（ｃ）参照）。
【００６９】
また、上記平面板第１〜第３の突出部１０ａ〜１０ｃ（３つの突出部）を１つの単位として小の字突出部（「小」の字を構成する突出部）１０が構成され（図１０（ｂ）（ｄ）参照）、上記ほぞ継ぎ構造６としては、上記小の字突出部１０が、上記底板３の前側縁３’に３つ並設され、突出部群が構成されている（突出部としては前部で９個）。尚、上記小の字突出部１０の数は、３つに限定されることはなく、３以上の複数であっても良いし、１つ又は２つであっても良い。但し、小の字突出部１０の数は上記小の字溝９の数と同一の数（同数）になる。
【００７０】
次に、上記底板３の上記ほぞ継ぎ構造６と、上記傾斜板４の上記ほぞ継ぎ構造６の接続方法について説明する。
【００７１】
上記傾斜板４の上記後面４ｂ側が水平の上記底板３の上記上面３ｂ側となる方向にて、上記底板３の上記各下面側突出部水平面１０ｄ，１０ｄ，１０ｄが、上記傾斜板４の上記各傾斜板第１傾斜面４ｄと平行になるように角度を合わせた状態、即ち、上記底板３と上記傾斜板４とがθ＝４５度（鋭角の所定角度）の傾斜角度となる状態で、上記平面板第１〜第３の突出部１０ａ〜１０ｃを上記傾斜板第１〜第３の溝９ａ〜９ｃ内に各々嵌合する。即ち、図１０（ｄ）の各下面側突出部水平面１０ｄ，１０ｄ，１０ｄの前端を、図９の傾斜板第１傾斜面４ｄ間の溝（傾斜板第１〜第３の溝９ａ〜９ｃ）側にスライドしながら嵌合してく。これにより、図９のほぞ継ぎ構造６の傾斜板第１〜第３の溝９ａ〜９ｃ（小の字）に、図１０（ｄ）の平面板第１〜第３の突出部１０ａ〜１０ｃの各平面板第３傾斜面１０ｅ，１０ｅ，１０ｅ（小の字）を合わせて各平面板第１〜第３の突出部１０ａ〜１０ｃを傾斜板第１〜第３の溝９ａ〜９ｃに挿入していく。
【００７２】
上記平面板第１〜第３の突出部１０ａ〜１０ｃが、上記傾斜板第１〜第３の溝９ａ〜９ｂに嵌合すると、傾斜板４の上記傾斜板第１傾斜面４ｄと、上記底板３の上記下面側突出部水平面１０ｄ，１０ｄ，１０ｄが面一の状態となり（図４、図１１（ｂ）参照）、上記底板３の上記平面板第４傾斜面１０ｇが、上記傾斜板４の上記後側溝間平坦面４ｅに接し（接合し）、上記底板３の上記各平面板第３傾斜面１０ｅ，１０ｅ，１０ｅ（「小」の字を構成している）が上記傾斜板第１〜第３の溝９ａ〜９ｃから臨出して上記傾斜板４の前面４ａ及び上記前側溝間平坦面４ｆと面一の状態となって「小」の字を構成し（図３、図１１（ｂ）参照）、上記底板３の上記上面側突出部水平面１０ｆ，１０ｆ，１０ｆが上記傾斜板４の上記傾斜板第２傾斜面９ｄ，９ｄ，９ｄに接合された状態で嵌合する。
【００７３】
さらに、上記嵌合状態では、傾斜板４の後面４ｂ側の下側傾斜板両側傾斜面４ｃ’，４ｃ’と、上記底板３の上面３ｂ側の上記平面板両側傾斜面３ｃ，３ｃとが接合されて、上記傾斜板４と上記底板３とが上記θ＝４５度（鋭角の所定角度）に接続される（図１参照）。
【００７４】
上記傾斜板第１〜第３の溝９ａ〜９ｃと上記平面板第１〜第３の突出部１０ａ〜１０ｃとの嵌合は、上記各小の字溝９，９，９（溝群）と上記各小の字突出部１０，１０，１０（突出部群）にて各々行われる。これにより、上記傾斜板４と底板３との上記ほそ継ぎ構造６において、強固に嵌合され接続される。
【００７５】
以上より、図１、図２に示すＺ型の椅子を構成することができる。上記ほぞ継ぎ構造５，６には、釘、鋲、接着剤等は一切使用せず、上記ほぞ継ぎ構造５は、上記平面板第１〜第３の溝７ａ〜７ｃと上記傾斜板第１〜第３の突出部８ａ〜８ｃの嵌合、上記ほぞ継ぎ構造６は、上記傾斜板第１〜第３の溝９ａ〜９ｃと上記平面板第１〜第３の突出部１０ａ〜１０ｃの嵌合により、強固に接続することができる。
【００７６】
また、椅子１は、スツール（又はテーブル）として使用することができ、通常の体重の大人が座っても何ら問題ない。
【実施例】
【００７７】
上記Ｚ型の椅子１を水平面に接地し、天板２上に錘を載せて、Ｚ型の椅子１がどこまで耐えられるか、について実験を行った。実験に使用したＺ型の椅子１の寸法は以下の通りである。
【００７８】
天板２と底板３は同じ大きさであり、天板２と底板３の前後方向の幅は３８０ｍｍ、左右方向の幅は３５０ｍｍ、Ｚ型の椅子１の高さは４００ｍｍであり、底板３の前側縁３’から天板２の後側縁２’までの前後方向の長さは約４３８ｍｍである。傾斜板４の前後方向の厚みはＴ１＝２０ｍｍ（図１参照）、天板２と底板３の上下方向の厚みはＴ２＝２０ｍｍ（図１参照）である。
【００７９】
その結果、材料が杉材の場合は３００ｋｇまでの重さに耐えることができ、材料がウォールナット材又はホワイトオーク材は４００ｋｇまでの重さに耐えることができることがわかった。従って、大人の男性が座っても、何ら問題ないことがわかった。
【００８０】
以上のように、本考案によれば、釘、鋲、接着剤等を使用せずに上記ほぞ継ぎ構造５のみで、天板としての平面板２の後側縁２’と傾斜板４の上側縁４’を、鋭角の所定角度（例えば４５度）に強固に嵌合接続することができ、例えば、Ｚ型の椅子の上部のほぞ継ぎ構造５として利用することができる。
【００８１】
また、釘、鋲、接着剤等を使用せずに上記ほぞ継ぎ構造６のみで、底板としての平面板３の前側縁２’と傾斜板４の下側縁４”を、鋭角の所定角度（例えば４５度）に強固に嵌合接続することができ、例えば、Ｚ型の椅子の下部のほぞ継ぎ構造６として利用することができる。
【００８２】
また、「小」の字を構成する溝群と、「小」の字を構成する突出部群とが、各々嵌合接続されるため、より強固なほぞ継ぎ構造（５，６）を実現することができる。
【００８３】
また、天板としての水平の平面板２の後側縁２’と傾斜板４の上側縁４’を鋭角の所定角度（例えば４５度）で接続し、底板としての水平の平面板３の前側縁３’と上記傾斜板４の下側縁４”を鋭角の所定角度（例えば４５度）で接続し、実用的なＺ型の椅子１（スツール）を構成することができる。この場合、本発明に係るほぞ継ぎ構造５，６によると、通常の体重の大人の人間が座っても壊れることのない実用的な椅子を実現することができる。
【００８４】
尚、鋭角の所定角度θは４５度としたが、鋭角であれば４５度以外でも良く、例えば５０度〜３５度程度でも良い。また、上記実施形態では木材を使用したが、材料は金属、プラスチックでも使用することが可能である。
【産業上の利用可能性】
【００８５】
本考案に係るほぞ継ぎ構造、及び、それを利用したＺ型の椅子によれば、天板と傾斜板、底板と傾斜板を、各々鋭角の所定角度（４５度）に接続してＺ型の椅子を構成することができ、大人の男性が座っても実用状問題ないため、デザイン性の高いＺ型の椅子を実現することができる。
【符号の説明】
【００８６】
１          椅子
２          天板（平面板）
２’        後側縁
２ａ        上面
２ｂ        下面
２ｃ        平面板両側傾斜面
２ｄ        平面板第１傾斜面
２ｅ        下側溝間水平面
３          底板（平面板）
３’        前側縁
３ａ        下面
３ｂ        上面
３ｃ        平面板両側傾斜面
４          傾斜板
４’        上側縁
４”        下側縁
４ａ        前面
４ｂ        後面
４ｃ        上側傾斜板両側傾斜面
４ｃ’      下側傾斜板両側傾斜面
４ｄ        傾斜板第１傾斜面
４ｅ        後側溝間平坦面
５          ほぞ継ぎ構造
６          ほぞ継ぎ構造
７          小の字溝（小の字を構成するほぞ溝）
７ａ        平面板第１の溝
７ｂ        平面板第２の溝
７ｃ        平面板第３の溝
７ｄ        平面板第２傾斜面
８          小の字突出部（小の字を構成する突出部）
８ａ        傾斜板第１の突出部
８ｂ        傾斜板第２の突出部
８ｃ        傾斜板第３の突出部
８ｄ        後面側突出部平坦面
８ｅ        傾斜板第３傾斜面
８ｆ        前面側突出部平坦面
８ｇ        傾斜板第４傾斜面
９          小の字溝（小の字を構成するほぞ溝）
９ａ        傾斜板第１の溝
９ｂ        傾斜板第２の溝
９ｃ        傾斜板第３の溝
９ｄ        傾斜板第２傾斜面
１０        小の字突出部（小の字を構成する突出部）
１０ａ      平面板第１の突出部
１０ｂ      平面板第２の突出部
１０ｃ      平面板第３の突出部
１０ｄ      下面側突出部水平面
１０ｅ      平面板第３傾斜面
１０ｆ      上面側突出部水平面
１０ｇ      平面板第４傾斜面              
【図１】
0003233532.tif 000003
【図２】
0003233532.tif 000004
【図３】
0003233532.tif 000005
【図４】
0003233532.tif 000006
【図５】
0003233532.tif 000007
【図６】
0003233532.tif 000008
【図７】
0003233532.tif 000009
【図８】
0003233532.tif 000010
【図９】
0003233532.tif 000011
【図１０】
0003233532.tif 000012
【図１１】
0003233532.tif 000013
【図１２】
0003233532.tif 000014
【図１３】
0003233532.tif 000015
【手続補正書】
【提出日】令和3年2月26日(2021.2.26)
【手続補正１】
【補正対象書類名】明細書
【補正対象項目名】０００７
【補正方法】変更
【補正の内容】
【０００７】
本考案は、２つの部材を鋭角の所定角度に接続する独自のほぞ継ぎ構造を提供することを目的とする。
【手続補正２】
【補正対象書類名】明細書
【補正対象項目名】０００８
【補正方法】変更
【補正の内容】
【０００８】
また本考案は、全体がＺ型の椅子（スツール）であって、天板と中間の傾斜板の上側縁の接続構造及び中間の傾斜板の下側縁と底板の接続構造が、独自のほぞ継ぎ構造を利用するものであって、両者を鋭角の所定角度で接続し、通常の大人が座っても、十分な強度を有するＺ型の椅子を提供するものである。
【手続補正３】
【補正対象書類名】明細書
【補正対象項目名】００２５
【補正方法】変更
【補正の内容】
【００２５】
【図１】本考案に係るほぞ継ぎ構造を利用したＺ型の椅子の正面図である。
【図２】同上Ｚ型の椅子の斜視図である。
【図３】同上Ｚ型の椅子の平面図である。
【図４】同上Ｚ型の椅子の底面図である。
【図５】同上Ｚ型の椅子の後面側からの図である。
【図６】同上Ｚ型の椅子の前面側からの図である。
【図７】同上ほぞ継ぎ構造の天板の図面であり、（ａ）は天板の正面図、（ｂ）は天板の後面側からの図、（ｃ）は天板の側面図、（ｄ）は天板の底面図である。
【図８】同上ほぞ継ぎ構造の傾斜板の図面であり、（ａ）は傾斜板の上側縁の上面側からの図、（ｂ）は傾斜板の前面から見た図、（ｃ）は傾斜板の下側縁の下面側からの図、（ｄ）は傾斜板の側面図である（尚、傾斜板は傾斜状態に傾けて記載している）。
【図９】同上ほぞ継ぎ構造の傾斜板の後面から見た裏面図である。
【図１０】同上ほぞ継ぎ構造の底板の図面であり、（ａ）は底板の前面側からの図、（ｂ）は底板の平面図、（ｃ）は底板の側面図、（ｄ）は底板の底面図である。
【図１１】（ａ）は図２の矢印Ａ方向から見た概略矢視図、（ｂ）は図２の矢印Ｂ方向から見た概略矢視図である。
【図１２】同上ほぞ継ぎ構造の天板の後側縁と傾斜板の上側縁の側面図である。
【図１３】同上ほぞ継ぎ構造の底板の前側縁と傾斜板の下側縁の側面図である。
【手続補正４】
【補正対象書類名】明細書
【補正対象項目名】００２８
【補正方法】変更
【補正の内容】
【００２８】
本考案に係るスツールとしての椅子１は、全体が正面視Ｚ型であり（図１参照）、天板２の上面２ａと底板３の下面３ａは相互に平行となるように構成され、これにて安定して水平面に設置することができ、天板２上に人が座ることができる強度を有している。